(57)【要約】      （修正有）【課題】電気を使用する電気炊飯器、混米機、精米機の電気負荷の放射エネルギーバランスを任意に設定することが可能なマイナスイオン、遠赤外線、波動の増幅装置、および増幅電気回路の製造方法を提供する。【解決手段】太陽の光電効果により天然電気石はマイナスイオン、遠赤外線、波動を吸収しその結果マイナスイオンを発生させることによって、鉱石の原子核を振動させエネルギーを放射させる。イオン結晶化した約１〜６０ミクロンの粒子の水晶体を導線、導体抵抗、接触抵抗、絶縁抵抗、電解液抵抗、半導体に接触、混合、充填等により組込み電気的にエネルギーを与える。【選択図】図２
0003104990.tif 000002
【実用新案登録請求の範囲】
【請求項１】
電気炊飯器、混米機、精米機中に、天然電気石を電気回路中に組込み、マイナスイオン、波動、遠赤外線を同時増幅させる、増幅電気回路。
【請求項２】
電気炊飯器、混米機、精米機に荷電された電位が長期保持され減少、消失しない「請求項１」記載のマイナスイオン、遠赤外線、および波動の増幅電気回路。
【考案の詳細な説明】
【考案の詳細な説明】
【技術分野】
【０００１】  天然電気石は、太陽のエネルギーを受けた天然鉱石で、副作用がなく高作用のエネルギーとして引出すため、電気エネルギーの力を利用し、電気増幅し、さらに安定したマイナスイオン、遠赤外線、波動の三者を増幅、連続エネルギーとして同時に電気炊飯器、混米機、精米機に供給する増幅装置、および増幅電気回路の製造方法。
【背景技術】
【０００２】  従来、天然鉱石よりマイナスイオン、遠赤外線、波動（振動）の効果を期待してさまざまな用途に応用されているが、微弱なエネルギーのため、電気炊飯器、混米機、精米機内の原材料の活性化、および還元作用を充分な効果として発揮することができなかった。【０００３】  天然電気石は、永久電極を備えた優れた特性を備えた天然鉱石であるが、その力は通常では、０．００４ｗ／ｃｍ２と微力なため本来の目的である作用を得るために外部からのエネルギーが必要であった。  またマイナスイオン、遠赤外線、波動を同時に発生させバランスよくエネルギーを得ることは困難であった。
【考案が解決しようとする課題】
【０００５】  本考案は、電気炊飯器、混米機、精米機内の原材料の活性化、および還元作用をマイナスイオン、遠赤外線、波動を連続して安定して取り出すことができないという問題点があった。
【０００６】  本考案は、電気を使用する電気炊飯器、混米機、精米機の電気負荷の放射エネルギーバランスを任意に設定することが可能なマイナスイオン、遠赤外線、波動の増幅装置、および増幅電気回路の製造方法を提供することを目的としている。
【課題を解決するための手段】
【０００７】  上記目的を達成するために、本考案のマイナスイオン、遠赤外線、および波動の増幅電気回路においては、天然電気石と電気の特性を生かすために、天然電気石を電気炊飯器、混米機、精米機の電気回路中に組込み、天然電気石の特性を電気の力を生かしマイナスイオン、遠赤外線、波動を増幅させるものである。
【０００８】  また、一般には電流は、天然電気石のプラス極からマイナス極に電流が流れるが、マイナスイオンの電子は、プラス方向に流れることを基本として、電気より天然電気石の原子軌道にプラスイオンを衝突させることにより高エネルギーを効率よく得ることができる。
【０００９】  また、電気は高いエネルギーを備えているため、天然電気石のマイナスイオンを捕らえに行く電気のプラスイオンの衝突、衝撃が強くスピン回転運動の速度が速くなり、天然電気石より高エネルギーを効率よく得ることができる。
【００１０】  また、太陽光線の電磁波のように原子周囲の励起ではなく、原子、分子の周囲の軌道にのみ、非常に高い運動量の電気エネルギーのプラスイオンが衝突し、原子分子を振動させてマイナスイオン、遠赤外線、波動を励起状態にできる。
【００１１】  また、銅やアルミニウムのように自由電子の多い導体中の自由電子が移動時に銅やアルミニウム等の金属原子に衝突し、その移動が妨げられるために電気抵抗となる。それを応用して大量のマイナスイオンを天然電気石より照射供給できる。
【００１２】  天然電気石は４〜１４ミクロンの遠赤外線を発生する鉱石で、自然界においてイオンが結晶化した水晶体のため、多面体の極性結晶体の多面体であり、表面積が大きくマイナスイオン、遠赤外線、波動を充分なエネルギーとして連続放射供給できる。
【００１３】  さらに、天然電気石の微粒子１〜６０ミクロンの集合体を導線、導体抵抗、接触抵抗、絶縁抵抗、電解液抵抗、半導体、電池、および発電機等に単独接触、もしくは他の材質との混合、または充填等の方法により取り付ける。
【考案を実施するための最良の形態】
【００１４】  考案の実施の形態を実施例にもとづき図面を参照して説明する。  図１において、天然電気石の原子核を振動させ電位エネルギーをイオン結晶化した約１〜６０ミクロンの粒子の水晶体を導線、導体抵抗、接触抵抗、絶縁抵抗、電解液抵抗、半導体に接触、混合、充填、塗布等（図１、図２）により取り付ける。【００１５】  図１において、天然電気石は、イオン水晶体のため窪みが存在し、一方の窪みのプラス極よりマイナス極へ電子が流れる永久電極として効率よく電子を電気増幅回路となり効率の高いエネルギーとして、永久的に取出せる。【００１６】  任意の電気エネルギーを与えることが可能なため、放射の量は、電気のエネルギーに比例するのであらかじめ目的にあわせ必要量を計算により求め、天然電気石の粒子量と電気負荷の放射エネルギーバランスを任意設定することが可能で安定的した連続放射できる。【００１７】  また、天然電気石のマイナスイオンを捕らえに行く電気のプラスイオンの量は、電気回路の抵抗値、負荷等を測定し電気負荷容量によって異なるため天然電気石の使用量を安易に調整可能なものである。
【考案の効果】
【００１８】  本考案は、以上説明したように構成されているので、以下に記載されるような効果を奏する。
【００１９】  本考案は、従来の電気回路内に組込み電気エネルギーを加えることにより新たな電気回路が生まれ、マイナスイオン、遠赤外線、波動の三要素ともに増幅され安定したエネルギーを同時放射が可能である。
【００２０】  マイナスイオン、遠赤外線、波動が増幅されるため、人体および動植物の細胞活性化、活性酸素抑制、健康維持等の効果として発揮することができ、さらに同時還元作用ができる。
【００２１】  また、天然電気約１〜６０ミクロンの粒子の水晶体を導線、導体抵抗、接触抵抗、絶縁抵抗、電解液抵抗、半導体に接触、混合、充填等により組込み荷電することにより、電気増幅回路となりマイナスイオン、遠赤外線、波動を高効率に永久に取出すことができる。
【００２２】  また、エネルギー放射の量については、電気のエネルギーに比例するのであらかじめ目的に合わせ必要量を計算により求めることができるので、放射エネルギーバランスを安易に設定することができる。
【００２３】  従って、電気を使用する電気機器、電子機器、電池、および発電機等すべて応用可能なものである。
【００２４】  また、電気部品等にかかる負担を軽減できるので電気機器、電子機器の寿命を長期間電気機器、電子機器の使用に障害を与えることがなく、機器自体の耐用年数も長期間の使用に耐えるので経済的である。
【００２５】  そして、天然電気石の粒子を使用する理由は、加工しやすいことはもとより天然電気石が多面体の極性結晶で構成されているためどんなに細かく粉砕してもその微粉末は、多面体の結晶を維持していることが大きな特徴である。また、表面積が広く熱効率が極めて高く少量の電気石の使用量で高効率を奏する。
【００２６】  また、通電部において電気の消耗がなく、電気負荷部の使用量の低減できるので、節電効果にも役立つもので、安全で安易な装置であるため様々な応用が可能である。
【００２７】  １ＫＷの電気炊飯器、混米機、精米機等（図３、４、５、６）であれば１ＫＷ相当のマイナスイオン、遠赤外線、波動エネルギーが同時発生し、還元状態の美味しく、高栄養素として吸収しやすいご飯に炊き上がる。
【００２８】  また、調理された食品は、還元状態のため味覚も向上し、栄養素の吸収も高い食品とすることができる。
【００２９】  さらに、調理された食品は、多くのマイナスイオンを蓄えるため、酸化による味覚低下も遅延させることもできる。
【００３１】  さらには、マイナスイオン、遠赤外線、波動により残留農薬の削減、炊飯時の水では、クラスターが小さく分離され、また塩素等の溶解物質も分解されるため非常にまろやかで、健康維持によいご飯とすることができる。
【図面の簡単な説明】
【図１】天然電気石の構造である。
【図２】連続エネルギーが放射される増幅部回路模式図である。
【図３】本考案を電気炊飯器に応用した模式図である。
【図４】本考案を電気混米機に応用した模式図である。
【図５】本考案を電気精米機に応用した模式図である。
【図６】本考案を電気精米機、及び電気混米機等の機器に応用した模式図である。
【符号の説明】
１．  天然電気石２．  天然電気石の窪み部３．  増幅されたマイナスイオン、遠赤外線、波動の放射４．  マイナスイオンの流れ５．  マイナスイオン６．  電流の流れ７．  起電８．  プラス極９．  マイナス極１０．      電圧１１．      高電位１２．      低電位１３．      プラグ先端部１４．      プラグ本体１５．      電気石粉末混合物１６．      電気導線１７．      電気釜１８．      電気混米機応用例１９．      米投入口２０．      電気精米機応用例２１．      電気混米機、電気精米機結合パイプ
【図１】
0003104990.tif 000003
【図２】
0003104990.tif 000004
【図３】
0003104990.tif 000005
【図４】
0003104990.tif 000006
【図５】
0003104990.tif 000007
【図６】
0003104990.tif 000008